(57)【要約】【課題】  胴体内に動力源を備え、リアルな生物の動きを再現させ、走行停止直前に頭部突出部を作動させて互いにして争わせる遊びを可能とする走行玩具を提供する。【解決手段】  走行玩具100は、昆虫、動物、又は怪獣などの生物又は架空生物の外観に似せた形状であり、頭部10、胴体30及び左右複数の脚部70を有する本体90からなる走行玩具100であって、本体90は、胴体内部に動力源40と、動力源40を作動させる動力源作動紐46と、動力源40の作動により脚部70を作動させる脚部作動連結板45と、頭部10に配置されて作動可能な頭部突出部20と、頭部10及び頭部突出部20を作動させる頭部作動部と、を備え、本体90が脚部70の左右前脚及び左右後脚を前後に作動させて走行し、走行停止直前に頭部10及び頭部突出部20を作動させる。【選択図】  図１
2015006316.tif 000002
【特許請求の範囲】
【請求項１】
昆虫、動物、又は怪獣などの生物又は架空生物の外観に似せた形状であり、頭部、胴体及び左右複数の脚部を有する本体からなる走行玩具であって、
前記本体は、
前記胴体内部に動力源と、
前記動力源を作動させる動力源作動紐と、
前記動力源の作動により前記脚部を作動させる脚部作動連結板と、
前記頭部に配置されて作動可能な頭部突出部と、
前記頭部及び前記頭部突出部を作動させる頭部作動部と、
を備え、
前記本体が前記脚部の左右前脚及び左右後脚を前後に作動させて走行し、走行停止直前に前記頭部及び前記頭部突出部を作動させることを特徴とする走行玩具。
【請求項２】
前記頭部作動部は前記動力源作動紐の巻上げ動作の終了直前に前記動力源作動紐に固定された取っ手が取っ手連結部を押圧して前記頭部及び前記頭部突出部を作動させることを特徴とする請求項１に記載の走行玩具。
【請求項３】
前記頭部及び前記頭部突出部の前記作動は、前記頭部が前方に移動し、前記頭部が前方に移動するとき、前記頭部突出部がその先端を跳ね上げる動作であることを特徴とする請求項１又は請求項２に記載の走行玩具。
【請求項４】
前記頭部及び前記頭部突出部の前記作動は、前記頭部及び前記頭部突出部が一体に前方へ移動しつつ垂直方向に回動して前記頭部突出部の先端を跳ね上げる動作であることを特徴とする請求項１又は請求項２に記載の走行玩具。
【請求項５】
前記胴体の内部には、前記動力源の上部に巻取りプーリを有し、前記動力源作動紐を前記本体から引き出すとき、前記動力源に力を蓄えると共に、前記巻取りプーリを回転させ、駆動紐を巻き上げて前記頭部を前記胴体に引き寄せることを特徴とする請求項１乃至請求項４の何れかに記載の走行玩具。
【請求項６】
前記動力源がゼンマイユニットからなり、前記ゼンマイユニットの出力回転軸の回転速度が途中で高速に切り替わることを特徴とする請求項１乃至請求項５の何れかに記載の走行玩具。
【請求項７】
前記脚部の前脚部は、中央部が軸支されて左右両端を前後に揺動可能とされ、後脚部は中央に立設される後脚部支持軸を備え、前記後脚部支持軸の少なくとも上端近傍及び中間部が前後左右の周囲に間隔を有して前記胴体内で支持されることにより、当該後脚部の両端を前後に揺動可能とされるとともに、上下にも揺動可能とされ、前記前脚部の前記軸支位置の直近左方又は直近右方と、前記後脚部の前記後脚部支持軸直近左方又は直近右方とを接続する脚部作動連結板を有し、該脚部作動連結板を前記ゼンマイユニットの回転軸に固定した偏心回転体により旋回動作させることを特徴とする請求項１乃至請求項６の何れかに記載の走行玩具。
【発明の詳細な説明】
【技術分野】
【０００１】
本発明は、昆虫、動物、怪獣などの生物又は架空生物を模した走行玩具に関するものである。
【背景技術】
【０００２】
従来、各種の昆虫の外観に似せて形成された昆虫玩具が知られている。このような昆虫玩具として、例えば、甲虫やクワガタ等の昆虫では、その昆虫の頭部、胸部、腹部等の各部の形状を金属あるいはプラスチック等の材料で成形し、それぞれを組み付けることにより形成されていた。また、昆虫玩具には、動いたり歩行するものもある。
【０００３】
下記に示す特許文献１には、昆虫などを模した走行体と、この走行体を押し出す押し出し部と、を有する発射装置を組み合わせてなり、走行体は、発射装置の押し出し部からの力を受ける受け部と、作動手段が着脱可能な作動手段装着部と、走行面に接触する車輪及び接触部とを有し、接触部が走行体に対して上下方向に作動する作動機構を有し、発射装置は、弾性部材の反発力によって押し出し部を突出させる第１の発射手段と、発射装置に摺動自在に設けられた摺動部材と、該摺動部材に回動自在に設けられたプレート部材とを有する第２の発射手段とを有して、単に走らせるだけでなく、走行体の走行形態としてジャンプ、回転などを可能として走行体の走行形態にバリエーションを持たせ、さらに、対戦ゲームとして、相互に正面から体当たりさせて相手の走行体を跳ね飛ばすなどを可能とする走行玩具が開示されている。
【０００４】
さらに、下記に示す特許文献２には、歩行装置は、胴体と、胴体の左右に少なくとも２本ずつ設けられた脚部とからなり、胴体内には、動力源と、動力源によって回転する複数の歯車が設けられており、脚部は後部が胴体内に没入し、歯車の回転中心に取り付けられ、軸線回りの方向に回転させられるようになっており、脚部は、折曲可能であって、折曲された状態を保持できるように形成されているものであり、本物の昆虫に近い外観を備える昆虫玩具の歩行装置が開示されている。
【先行技術文献】
【特許文献】
【０００５】
【特許文献１】特開２００６−１４１７３７号公報
【特許文献２】特開２０００−１７６１８２号公報
【発明の概要】
【発明が解決しようとする課題】
【０００６】
しかしながら、特許文献１の走行玩具は、走行体が自走することができず走行体を作動させるための別体の発射装置を有することから、走行体を作動させるのに発射装置を操作する必要があり、煩わしかった。そして、特許文献２の歩行装置は、胴体内に動力源を有して歩行動作するものであるが、本体の走行形態のバリエーションがなく、頭角等を作動させるなどの歩行以外の動作がないこと、及び歩行動作が不自然であるから単調となってしまい飽きられる虞があった。
【０００７】
本発明は、胴体内に動力源を備え、リアルな生物の動きを再現させ、走行停止直前に頭部突出部を作動させて互いにして争わせる遊びを可能とする走行玩具を提供することを目的とする。
【課題を解決するための手段】
【０００８】
本発明の走行玩具は、昆虫、動物、又は怪獣などの生物又は架空生物の外観に似せた形状であり、頭部、胴体及び左右複数の脚部を有する本体からなる走行玩具であって、前記本体は、前記胴体内部に動力源と、前記動力源を作動させる動力源作動紐と、前記動力源の作動により前記脚部を作動させる脚部作動連結板と、前記頭部に配置されて作動可能な頭部突出部と、前記頭部及び前記頭部突出部を作動させる頭部作動部と、を備え、前記本体が前記脚部の左右前脚及び左右後脚を前後に作動させて走行し、走行停止直前に前記頭部及び前記頭部突出部を作動させることを特徴とする。
【０００９】
好適には、前記頭部作動部は前記動力源作動紐の巻上げ動作の終了直前に前記動力源作動紐に固定された取っ手が取っ手連結部を押圧して前記頭部及び前記頭部突出部を作動させるものである。
【００１０】
そして、前記頭部及び前記頭部突出部の前記作動は、前記頭部が前方に移動し、前記頭部が前方に移動するとき、前記頭部突出部がその先端を跳ね上げる動作とすることが有る。
【００１１】
また、前記頭部及び前記頭部突出部の前記作動は、前記頭部及び前記頭部突出部が一体に前方へ移動しつつ垂直方向に回動して前記頭部突出部の先端を跳ね上げる動作とすることもある。
【００１２】
そして、好適には、前記胴体の内部には、前記動力源の上部に巻取りプーリを有し、前記動力源作動紐を前記本体から引き出すとき、前記動力源に力を蓄えると共に、前記巻取りプーリを回転させ、駆動紐を巻き上げて前記頭部を前記胴体に引き寄せるものである。
【００１３】
好適には、前記動力源がゼンマイユニットからなり、前記ゼンマイユニットの出力回転軸の回転速度が途中で高速に切り替わるものもある。
【００１４】
好適には、前記脚部の前脚部は、中央部が軸支されて左右両端を前後に揺動可能とされ、後脚部は中央に立設される後脚部支持軸を備え、前記後脚部支持軸の少なくとも上端近傍及び中間部が前後左右の周囲に間隔を有して前記胴体内で支持されることにより、当該後脚部の両端を前後に揺動可能とされるとともに、上下にも揺動可能とされ、前記前脚部の前記軸支位置の直近左方又は直近右方と、前記後脚部の前記後脚部支持軸直近左方又は直近右方とを接続する脚部作動連結板を有し、該脚部作動連結板を前記ゼンマイユニットの回転軸に固定した偏心回転体により旋回動作させるものである。
【発明の効果】
【００１５】
本発明によれば、胴体内に動力源を備え、リアルな生物の動きを再現させ、走行停止直前に頭部突出部を作動させて互いにして争わせる遊びを可能とする走行玩具を提供することができる。
【００１６】
さらに、本発明によれば、頭部作動部は、動力源作動紐の巻上げ動作の終了直前に、動力源作動紐に固定された取っ手が取っ手連結部を押圧して頭部及び頭部突出部を作動させることから、歩行動作後に頭部及び頭部突出部を作動させる一連の動作が可能となる。
【００１７】
また、本発明によれば、頭部が前方に移動するとき、頭部突出部がその先端を跳ね上げる動作をすることから、頭角だけを動作させる昆虫や動物等の生物に似せた動きを見せることができる。
【００１８】
そして、本発明によれば、頭部及び頭部突出部が一体に前方へ移動しつつ垂直方向に回動して前記頭部突出部の先端を跳ね上げる動作をするときは、頭部全体を使って力強く争う昆虫や動物等の生物に似せた動きを見せることができる。
【００１９】
更に、本発明によれば、動力源作動紐を本体から引き出すとき、駆動紐を巻き上げて頭部を胴体に引き寄せるものとすれば、動力源作動紐を引き出して手離すだけで容易に遊ぶことができる。
【００２０】
また、本発明によれば、前記動力源がゼンマイユニットからなり、前記ゼンマイユニットの出力回転軸の回転速度が途中で高速に切り替わることから、歩行動作が単調とならず、永きに亘って興味を継続させることができる。
【００２１】
そして、本発明によれば、歩行動作をリアルで自然な形態とさせることができ、飽きのこない玩具とすることができる。
【図面の簡単な説明】
【００２２】
【図１】本発明の実施形態に係る走行玩具の上面を前方から見た外観斜視図である。
【図２】本発明の実施形態に係る走行玩具を底面を後方から見た外観斜視図である。
【図３】本発明の実施形態に係る走行玩具の外観側面図である。
【図４】本発明の実施形態に係る走行玩具の分解斜視図である。
【図５】本発明の実施形態に係る走行玩具の分解斜視図である。
【図６】本発明の実施形態に係る走行玩具を紐部を外して底面から見た内部斜視図である。
【図７】本発明の実施形態に係る走行玩具を紐部カバーを開放して底面から見た内部斜視図である。
【図８】本発明の実施形態に係る走行玩具を走行させる準備状態を示す外観斜視図である。
【図９】本発明の実施形態に係る走行玩具の側面断面図である。
【図１０】本発明の実施形態に係る走行玩具の頭部を後方へ収納させる動作を示す側面断面図である。
【図１１】本発明の実施形態に係る走行玩具の頭部を後方へ収納させた状態を示す側面断面図である。
【図１２】本発明の実施形態に係る走行玩具のゼンマイをチャージさせる動作を示す側面断面図である。
【図１３】本発明の実施形態に係る走行玩具のゼンマイをチャージさせる動作を示す側面断面図である。
【図１４】本発明の実施形態に係る走行玩具の走行時の状態を示す側面断面図である。
【図１５】本発明の実施形態に係る走行玩具の走行終了間近の状態を示す側面断面図である。
【図１６】本発明の実施形態に係る走行玩具の走行終了間近の状態を示す側面断面図である。
【図１７】本発明の実施形態に係る走行玩具の走行終了間近に頭部を作動させた状態を示す側面断面図である。
【図１８】本発明の実施形態に係る走行玩具の底面から見た脚部の動作を示す図である。
【図１９】本発明の実施形態に係る走行玩具の底面から見た脚部の動作を示す図である。
【図２０】本発明の実施形態に係る走行玩具の底面から見た脚部の動作を示す図である。
【図２１】本発明の実施形態に係る走行玩具の底面から見た脚部の動作を示す図である。
【図２２】本発明の実施形態に係る走行玩具の後方から見た脚部の動作を示す図である。
【図２３】本発明の実施形態に係る走行玩具の変形例の要部を示す図である。
【図２４】本発明の実施形態に係る走行玩具の変形例の要部を示す図である。
【図２５】本発明の実施形態に係る走行玩具の変形例における走行終了間近の状態の要部を示す図である。
【発明を実施するための形態】
【００２３】
以下、図面に基いて本発明の実施形態を詳細に説明する。なお、本発明の走行玩具100は甲虫を模した外観からなる昆虫玩具を適用して説明する。図１は本発明の実施形態に係る走行玩具100の上面から見た外観斜視図である。図２は本発明の実施形態に係る走行玩具100を底面から見た外観斜視図である。図３は本発明の実施形態に係る走行玩具100の外観側面図である。
【００２４】
本発明の走行玩具100は、単に本体90を走行させるのみではなく、走行以外の作動態様を持ち合わせており、本体90同士を正面から走行させて衝突させ、走行終了時の一連のアクションで頭部10及び頭部突出部20を作動させて、相手の本体90を転倒させるなどの遊戯を可能とする玩具である。
【００２５】
具体的には、走行玩具100は、図１に示すように、甲虫を模した模型体であり、頭部10、胴体30及び左右複数の脚部70を有する本体90からなるものである。走行玩具100の本体90は、胴体30内部にゼンマイユニットからなる動力源と、ゼンマイユニットを巻き上げるための引っ張り可能な取っ手49と接続される動力源作動紐と、動力源の回転により揺動するように作動して左右の脚部70を前進歩行するように作動させる脚部作動連結板と、頭部10に配置されて上方に作動可能な頭部突出部20と、頭部10及び頭部突出部20を作動させる頭部作動部と、を備えるものである。
【００２６】
頭部10は、硬質樹脂製の頭部カバー11で甲虫の頭部及び胸角を含む前胸背板を形成しており、その前方に作動可能な硬質樹脂製の頭部突出部20である頭角を備える。頭部10は、遊戯前の状態では、図１に示したように、頭部突出部20である頭角を上方に回動され、頭部10を前方に配置した状態とされている。
【００２７】
そして、走行玩具100は、遊戯時には、頭部10の後端を後方の胴体30である後胸部までスライドさせることにより、頭部10はその位置にロックされるとともに、頭部突出部20が内蔵されるバネにより上方に付勢されている状態で先端を下げるように下方に作動されることとなる。
【００２８】
胴体30は、硬質樹脂製の胴体カバー31で甲虫の後胸背板を形成している。そして、胴体30内部には、後述するゼンマイユニットからなる動力源や、頭部10を前後方向にスライドさせるためのスライド機構等を収納している。
【００２９】
脚部70は、図２に示すように、甲虫の後胸腹板から導出されるように、硬質樹脂製の前脚部75、腹部60から左右に突出する中脚71、及び後脚部80による各脚を左右に夫々３本づつ設けている。
【００３０】
腹部60の内部には、動力源であるゼンマイユニットを巻き上げるための後方に引っ張り可能な取っ手49と接続される動力源作動紐46による紐巻部47が図２及び図７に示したように紐部カバー50により覆われて配置されている。
【００３１】
そして、前脚部75と後脚部80の各脚の先端には、図２及び図３に示したように、地面と接する突起部75a、80aを設けている。これにより、走行玩具100は、甲虫が地面を這うように歩行し、スムーズに前進することをリアルに実現することができる。
【００３２】
次に走行玩具100の各部の詳細な構成を図４及び図５に示す走行玩具100の分解斜視図を用いて説明する。
【００３３】
頭部10は、図４に示すように外装を硬質樹脂製の頭部カバー11により甲虫の胸角を含む前胸板を形成しており、下方には、頭部下面カバー22を備える。
【００３４】
また、頭部10は、作動可能な硬質樹脂製の頭部突出部20である甲虫の頭角を備え、頭部突出部20の基部を頭部カバー11の内部に収納し、頭部突出部20を頭部カバー11の前方切り欠き部から頭部10の前方に突出させるものである。
【００３５】
そして、頭部10は、頭部カバー11が頭部突出部20とともに硬質樹脂製の頭部スライド部12の前端部に固定される。頭部突出部20は、回動可能なようにバネで上方向に付勢しながらピン21で頭部スライド部12の前方に係止されている。
【００３６】
また、頭部スライド部12は、コ字形状をして後方に向けて左右にレール状のスライド部13,14を形成しており、スライド部13,14を動力源収納ケース33の左右に配置するようにして、胴体カバー31の内部に収納し、頭部10を胴体30に対して前後方向にスライドさせるものである。さらに、頭部スライド部12は、各スライド部13,14の内側に収納するバネ17により前方に付勢されているものである。そして、スライド部13,14の後端には頭部スライド部12のロック機構となる鍵状の係止爪15,16が形成されている。
【００３７】
そして、頭部突出部20は、ピン21の軸止部の後端から後方斜め上方に向けて、突起部23を設けている。
【００３８】
突起部23は、頭部10を後方にスライド作動されると胴体30内部に位置する動力源収納ケース33の前端に当接され、頭部突出部20の前方の先端をピン21を軸として下方に回動させるものである。
【００３９】
胴体30は、外装を硬質樹脂製の胴体カバー31で甲虫の後胸背板を形成している。また、胴体30は、胴体カバー31の内部に頭部10の頭部スライド部12をスライド可能として収納させるために硬質樹脂製のスライド係合部32を有し、動力源収納ケース33の左右に配置されるスライド部13,14を上方から支持するように配置している。
【００４０】
動力源収納ケース33は、硬質樹脂製の箱状であってこの内方に後述する動力源40を配置させるものである。
【００４１】
さらに、胴体30は、胴体カバー31の内部後方に頭部スライド部12を後方でロック及びロック解除して頭部スライド部12を前方に作動させる頭部作動部25であるロック機構を配置させている。
【００４２】
頭部スライド部12のロック機構は、動力源収納ケース33の後方に配置されており、頭部スライド部12のスライド部13,14後端に設けられる左右の係止爪15,16及び係止爪15,16を係止させるレバーを有するレバー連動板36と、レバー連動板36のレバー36aと係合してロックを解除させる係合レバー34と、ゼンマイユニットのチャージ手段である動力源作動紐46に接続された取っ手49の手放し時の復帰動作に連動して前方に作動し係合レバー34をロック解除方向に回動させる取っ手連結部38と、を備える。
【００４３】
レバー連動板36は、硬質樹脂製の板材であって、左右にレバー36aを有して動力源収納ケース33の後方に挟持され、上面に配置される２つのバネ37をスライド係合部32との間に収納し、このバネ37によりレバー連動板36は、下方に付勢される。
【００４４】
そして、レバー連動板36は、頭部10が後方に作動されると、バネ37を縮めながら上方に作動し、頭部スライド部12のスライド部13,14後端に設けられる左右の係止爪15,16を係止することにより、頭部10を後方位置でロックすることができる。
【００４５】
係合レバー34は、硬質樹脂製の円板状であって、レバー連動板36の左右のレバー36aと係合する突起34aを有している。そして、係合レバー34は、上方に回動されることによりレバー連動板36を上方に作動させて、頭部スライド部12の係止爪15,16のロックを解除させる。これにより、前方に付勢されている頭部スライド部12が前方に作動することとなる。この動作は、図１０乃至図１７を用いて後に詳述する。
【００４６】
取っ手連結部38は、硬質樹脂製で板状の本体部38aと、本体部38aの上端左右から前方に突出するアーム部38bとを備える。そして、取っ手連結部38は、アーム部38bの前端近傍に係合レバー34が取り付けられるものである。
【００４７】
取っ手連結部38は、バネにより本体部38aの下端が後方に付勢されており、動力源作動紐46に接続された取っ手49を引き出すことにより後方に作動され、取っ手49を手離すことにより復帰動作で取っ手49が前方に移動し、動力源作動紐46の巻上げが終了するとき、取っ手49が後方に位置する取っ手連結部38を前方に押し出すこととなる。
【００４８】
脚部70は、図５に示すように硬質樹脂製の作動する前脚部75、後脚部80、及び腹部60と一体とされる中脚71を設けている。そして、脚部70は、動力源40の二次回転軸42からの連結機構により前脚部75と後脚部80とが甲虫が歩行しているかのように、前脚と後脚とで前後の脚が反対向きとなるように左右の脚を交互に前後させることとなる。
【００４９】
脚の動力源40は、ゼンマイユニットであり、ゼンマイユニットの一次回転軸41に軸止させている動力源作動紐46の紐巻部47を動力源作動紐46に接続されている取っ手49を引っ張ることにより一次回転軸41を逆方向に回転させて力を蓄える。
【００５０】
このゼンマイユニットは、ゼンマイバネの一端がユニットケースに固定され、ゼンマイバネの他端が一次回転軸41に固定されるものであって、一次回転軸41を回転させるとゼンマイバネが巻き上げられ、巻き上げられたゼンマイバネの元に戻ろうとする力により、ゼンマイユニットの下面から下方に突出する一次回転軸41及び二次回転軸42を回転させることができる。
【００５１】
この一次回転軸41には、ラチェット歯車と変速カム歯車とが固定され、ラチェット歯車と、増速歯車列を介して、二次回転軸42が接続され、一次回転軸41の一方向回転のみが増速されて二次回転軸42に伝達される。
【００５２】
また、変速カム歯車は一次回転軸41の回転軸を減速して変速カムを回転させるものであって、この変速カムはラチェット歯車から二次回転軸42に回転を伝達する増速歯車列の増速比を変更するものであり、一次回転軸41がゼンマイバネの弾発力により戻り回転を行っている途中で、ラチェット歯車を介して二次回転軸42に伝達される回転の増速比を大きくするように切り換えるものである。
【００５３】
従って、引き出された取っ手49を手離すと一次回転軸41を正方向に回転させるとともに、ゼンマイユニットの蓄えた力を発散するように二次回転軸42を正方向に回転させるときに、増速比を切り換えて二次回転軸42の回転速度を途中で早くすることができる。また、ゼンマイユニットは、ゼンマイユニットの一次回転軸41を力を蓄える側に逆方向に回転させているときには、ラチェット歯車の作用により二次回転軸42を逆方向に回転しないようにアイドル状態とすることができる。
【００５４】
そして、ゼンマイユニットの二次回転軸42を正方向に回転させることにより、図６に示すように、二次回転軸42の先端に軸止される偏心回転体44を回転させることとなる。偏心回転体44は、硬質樹脂製の円板であって、二次回転軸42を軸止させる軸止穴が円板の中心とは異なる位置に偏心させる回転体である。
【００５５】
そして、偏心回転体44が偏心回転することにより、偏心回転体44と連結穴で連結された脚部作動連結板45を走行玩具100の前後方向に揺動するように回転運動させることとなる。
【００５６】
脚部作動連結板45は、硬質樹脂製で薄板アーム状の揺動部材であって、略中央に偏心回転体44との連結穴45aと、前方に前脚部75と連結される前方ポスト45bと、後方に後脚部80と連結される後方ポスト45cと、を有する。
【００５７】
また、図６に示したように、脚部作動連結板45の前方ポスト45bが前脚部75の付け根近くの左脚側で連結し、後方ポスト45cが後脚部80の付け根近くの右脚側で連結し、前後の脚を左右に交差するように脚部作動連結板45を連結させている。
【００５８】
そして、前脚部75は、前脚部75の付け根の略中央の穴をゼンマイユニットから下方に突出させた前脚部支持軸43を挿入させて前脚部支持軸43を中心に回動可能に支持され、後脚部80は、後脚部80の付け根の略中央には後脚部80と一体とされる後脚部支持軸81を有し、図２２に示すように後脚部支持軸81の上端が胴体30内部のスライド係合部32で軸位置を変位可能として胴体30内で支持されている。
【００５９】
ゼンマイユニットに力を蓄えるための動力源作動紐46を巻き込む紐巻部47は、中心の穴部がゼンマイユニットの一次回転軸41と連結されている。そして、動力源作動紐46と紐巻部47とは、図７に示すように、中央下方を箱状とした腹部60の下方箱部に収納され、図２に示したように紐部カバー50で覆われている。
【００６０】
そして、動力源作動紐46と接続されている取っ手49は、引き出された状態で手を離すことによりゼンマイユニットの蓄えた力を発散する、いわゆるゼンマイユニットの復帰動作時に、取っ手連結部38の本体部38aを取っ手49の紐接続部近傍の棒部で前方に押圧すると取っ手連結部38を前方に押し出す動作で、先述の頭部スライド部12の係止爪15,16のロックを解除させることとなる。
【００６１】
なお、動力源40であるゼンマイユニットは、復帰動作時に初期動作を低速として復帰直前を高速とする速度可変の構成としているため、走行玩具100は、バリエーションに富んだ動きを実現することができる。
【００６２】
次に、走行玩具100の遊戯時の頭部10及び頭部突出部20の動作について図を用いて説明する。先ずは、走行玩具100を走行及び対戦させる前段階として、頭部10を後方に移動させたときの動作について説明する。
【００６３】
走行玩具100は、走行及び対戦させる前段階として、ユーザによる操作で頭部10を後方にスライド作動させると、図８に示すように頭部突出部20が下方に回動された状態とされる。
【００６４】
具体的には、頭部10は、前述のとおり、頭部カバー11の内部に硬質樹脂製の頭部スライド部12を備えている。頭部スライド部12は、前方で頭部突出部20を回動可能なようにバネで上方向に付勢されてピン21により係止されている。また、頭部スライド部12は、コ字形状をして後方に向けて左右にレール状のスライド部13,14を形成しており、頭部10を前後方向にスライドさせることができる。さらに、頭部スライド部12は、図９に示すように、バネ17により前方に付勢されている。そして、スライド部13,14の後端には頭部スライド部12のロック機構となる鍵状の係止爪15,16が形成されている。
【００６５】
そして、頭部突出部20は、ピン21の軸止部後方に突起部23を設けており、頭部10を後方にスライド作動されると、図１０に示すように、突起部23が動力源収納ケース33の前壁に当たることにより頭部突出部20を下方に回動し始める。さらに後方にスライド作動されると図１１に示すように、頭部スライド部12の内方に位置する切り欠きに突起部23が収納されるとともに、頭部スライド部12のスライド部13,14後端に設けられる左右の係止爪15,16が、レバー連動板36に接触しさらに後方に向けて押圧することにより、レバー連動板36のバネ37を縮めながらレバー連動板36を上方に作動させて、後方に移動してきた頭部スライド部12の係止爪15,16をレバー連動板36により係止させて頭部スライド部12と一体とされる頭部10を後方にロックさせることとなる。
【００６６】
そして、切り欠きに収納された頭部突出部20の後方の突起部23は、胴体30内部に位置する動力源収納ケース33の前端で切り欠きに収納された突起部23を封止するように挟み込みながら頭部突出部20を下方に回動させてロックさせることとなる。
【００６７】
次に、走行玩具100を走行及び対戦させる前段階として、頭部10を後方に移動させた後に、ゼンマイユニット駆動用の動力源作動紐46に接続されている取っ手49を引っ張ることによりゼンマイユニットの力を蓄えるとともに頭部10を後方位置に保持している状態について図を用いて説明する。
【００６８】
走行玩具100は、ユーザにより取っ手49を後方に引っ張られることにより、ゼンマイユニットに力を蓄える状態とされる。また、取っ手49を後方に引っ張られることにより、図１２に示すように、取っ手49により前方に位置させていた取っ手連結部38の本体部38aの下端を後方に作動させることとなる。
【００６９】
取っ手連結部38は、本体部38aの下端が後方に作動されると、図１３に示すように、上方で取っ手連結部38のアーム部38bに取り付けた係合レバー34を下方に回動移動させ、係合レバー34の突起34aがレバー連動板36のレバー36aを上方から下方に押圧することとなり、係合レバー34は、アーム部38bへの取付軸を中心に突起34aを上方に回転させることとなる。
【００７０】
そして、さらに、取っ手連結部38が後方に作動されて紐部カバー50の内壁にまで到達すると、係合レバー34の突起34aがさらに回動して、レバー連動板36のレバー36aを下方に押圧させ、係合レバー34の突起34aが、図１４に示すように、レバー連動板36のレバー36aの下方へ移動すると、突起34aの重みにより係合レバー34が取付軸を中心に突起34aを下方に回動させ、突起34aをレバー36aの下方に位置させることとなる。
【００７１】
次に、走行玩具100の走行及び対戦等のゲームを開始させる前段階が完了して、蓄えたゼンマイユニットの力を放出するべく引っ張った取っ手49を手離すことにより、走行が開始されることとなる。この走行の停止直前に行う走行玩具100の頭部10及び頭部突出部20の動作について図を用いて説明する。
【００７２】
走行玩具100は、ゼンマイユニットをチャージされた状態で取っ手49が手離されることにより、脚部70を作動させて前進し、走行停止直前に、図１５に示すように頭部スライド部12のロック機構である取っ手49が取っ手連結部38の本体部38a下端に接触し、ゼンマイバネの力により動力源作動紐46が紐巻部47に巻き上げられることにより、取っ手49により本体部38aの下端が前方に押し出され、係合レバー34が上方に回動移動を始める。
【００７３】
さらに、取っ手49の付け根が取っ手連結部38の本体部38a下端を前方に押し出していくと、図１６に示すように、係合レバー34の上方への回動移動により、突起34aがレバー連動板36のレバー36aを上方に押し上げていく。
【００７４】
そして、さらに、突起34aがレバー連動板36のレバー36aを上方に押し上げていくと、図１７に示すように、頭部スライド部12のスライド部14の係止爪16のロック機構を解除させ、前方に付勢されている頭部スライド部12が前方に移動し、このとき、頭部突出部20の先端を跳ね上げる。
【００７５】
このように、走行玩具100は、頭部スライド部12の係止爪16のロック機構を解除させることで、図１及び図９などに示したように頭部10が前方に飛び出し、頭部突出部20である甲虫の頭角が上方に回動された状態とされる。
【００７６】
次に、走行玩具100の脚部70の動作について図を用いて説明する。図１８乃至図２１は、本発明の実施形態に係る走行玩具100の底面から見た脚部70の一連の動作を示す図である。図２２は、本発明の実施形態に係る走行玩具100の後方から見た後脚部80の動作を示す図である。
【００７７】
脚部70は、図１８に示すように硬質樹脂製の前脚部75、腹部60に固定された中脚71、及び後脚部80からなり、前脚及び後脚は、左右の脚が一体とされて形成されており、動力源40の二次回転軸42からの連結機構により前脚部75と後脚部80とが甲虫が歩行しているかのように、前脚と後脚とで前後の脚が真逆となるように左右の脚を交互に前後させる。
【００７８】
そして、ゼンマイユニットの二次回転軸42を底から見て時計回り方向に回転させることにより、図１８、図１９、図２０、図２１の順に示すように二次回転軸42に軸止されている偏心回転体44を回転させることとなり、偏心回転体44と連結穴で連結された脚部作動連結板45を走行玩具100の前後及び左右の方向へ揺動させるようにして回転運動をさせる。
【００７９】
脚部作動連結板45が揺動しつつ旋回するように作動することにより、前方ポスト45bも揺動するように作動されて前脚部75を作動させるとともに、後方ポスト45cも揺動するように作動されて後脚部80を作動させる。
【００８０】
そして、脚部作動連結板45の前方ポスト45bを前脚部75の付け根近くの左脚側で連結し、後方ポスト45cを後脚部80の付け根近くの右脚側で連結することにより、脚部作動連結板45は、前後の脚を左右に交差させて連結する。これにより、脚部作動連結板45の揺動時に同じ側の前脚と後脚とでは、図１８や図２０に示したように前後反対方向に移動させるようにして、左右の脚を交互に前後させることとなる。
【００８１】
また、前脚部75は、前脚部75の付け根の略中央の穴を動力源40から下方に突出したポストである前脚部支持軸43を挿入させて回動可能なように支持し、後脚部80は、後脚部80の付け根で一体とされた後脚部支持軸81で回動可能なように支持させることにより、左右交互でバランス良く前後の脚を作動させることとなる。
【００８２】
また、後脚部80の中央に立設された後脚部支持軸81は、その上端近傍や中間部の周囲に間隙を形成して、前後左右に多少の移動を可能として胴体30の内部で支持している。
【００８３】
従って、後脚部支持軸81は、後脚部支持軸81を中心に後脚部80の左右の後脚を前後に揺動させるのみでなく、動力源収納ケース33等の壁面などに後脚部支持軸81の上端側部や中間部が接して傾きすぎを防止されつつ、前後左右に傾斜して左右の後脚を上下や前後に揺動させることも可能としている。
【００８４】
このため、後脚は、図１８乃至図２１に示したように、後脚部支持軸81の下端を前後左右に僅かに移動させるとともに、図２２に示すように、左右の脚の略中央に位置して後脚部80と一体とされた後脚部支持軸81を前後左右に揺動させ、脚部作動連結板45の作動による後方ポスト45cが前後を含む変形楕円状に作動するとき、後脚部支持軸81の上端がスライド係合部32の湾曲面32aで円を描くような軌道で作動することで、後脚部80の左右の後脚を上下動させながら前後に作動させて旋回することとなり、後脚を交互に前後させる構成としている。
【００８５】
従って、例えば、右後脚を後方に移動させるとき、後脚部80は右側を下方として右後脚と左前脚に多くの荷重が加わり、右後脚の後方移動に合せて左前脚も後方に移動し、走行動作を安定させることとなり、虫の自然な歩行と極めて近似した歩行動作を行わせることができる。
【００８６】
なお、走行玩具100は、本体90が甲虫以外にも、クワガタ等の昆虫や、象などの動物、又は怪獣などの生物又は架空生物の外観に似せた形状としても構わない。
【００８７】
そして、走行玩具100は、実施形態に示したように６足とする場合に限ることなく、少なくとも４足の動作で自然な歩行を行わせることができ、動作しない中脚を２足とすることなく例えば、４足等より多くすることもできる。
【００８８】
また、走行玩具100は、動力源40がゼンマイユニットからなり、回転速度を途中で高速に切り替わるようにすることから、最初はゆっくりと前進し、途中から走るように早く前方に突進して頭部突出部20の先端を跳ね上げる動作をするので、飽きのこない遊具とすることができる。
【００８９】
そして、上記実施形態は、頭部10を指で後退させた後、動力源作動紐46を引き出してゼンマイユニットに力を蓄えるようにしているも、動力源作動紐46を引き出す動作のみで、動力源40であるゼンマイユニットに力を蓄えると共に頭部10を後退させるようにすることもある。
【００９０】
この実施形態は、図２３乃至図２５に示すように、動力源40であるゼンマイユニットの一次回転軸41を動力源40のケースの上面から突出させ、一次回転軸41の回転により頭部10を後退させる駆動紐85を巻き取り可能とするものである。
【００９１】
即ち、図２３に示すように、胴体30の内部に収納している動力源40のケース上面に突出させた一次回転軸41の上端に第一歯車41ａを固定し、この第一歯車41ａと噛合する第一歯車41ａよりも直径の大きな第二歯車41ｂを動力源40のケース上面に回転可能に設け、この第二歯車41ｂと一体に回転する巻上げプーリ41ｃを第二歯車41ｂの上に重ねるように設けて動力源40の上部に第一歯車41ａ、第二歯車41ｂ、巻上げプーリ41ｃを配置するものである。
【００９２】
そして、図２４に示すように、スライド係合部32の上面に歯車カバー32ｂを設けて第一歯車41ａの周囲と第二歯車41ｂの周囲を覆いつつ、歯車カバー32ｂの上方に巻上げプーリ41ｃを突出させるものである。
【００９３】
更に、この巻上げプーリ41ｃに駆動紐85の一端を巻き付け、頭部スライド部12に設けた頭部支持ピン21ｂを介して駆動紐85の他端を動力源40のケース又は動力源収納ケース33の前端近傍に固定するものである。
【００９４】
従って、動力源作動紐46を引き出して動力源40のゼンマイを巻き上げるとき、一次回転軸41の上端に固定した第一歯車41ａ及びこの第一歯車41ａと噛合する第二歯車41ｂを回転させて巻上げプーリ41ｃにより駆動紐85を巻き上げることができる。
【００９５】
このため、動力源40のケースから頭部支持ピン21ｂを介して巻上げプーリ41ｃに巻き取られる駆動紐85により、頭部支持ピン21ｂひいては頭部スライド部12を引き寄せることができる。
【００９６】
尚、この駆動紐85は、動力源40から頭部10に組み込まれた頭部支持ピン21ｂまでを往復させており、また、第一歯車41ａよりも径の大きな第二歯車41ｂにより減速して巻上げプーリ41ｃを回転させることとして、駆動源作動紐46の引き出す長さよりも極めて短い頭部10の後退長さに合わせた駆動紐85の巻取長さとしており、駆動紐85の巻き込み力を大きくしつつ動力源作動紐46の引出しを容易に行って頭部10を後退させることができるものである。
【００９７】
そして、動力源40のゼンマイを巻き上げる直前に、後退した頭部スライド部12におけるスライド部14の後端に設けた係止爪16が係合レバー34と係合し、頭部10を後退させた位置に保持することができる。
【００９８】
その後、取っ手49を手離すと、ゼンマイの復元力により動力源作動紐46が巻き戻されて当該走行玩具は歩行及び走行を行い、このとき、巻取りプーリ41ｃに巻き上げられていた駆動紐85は巻取りプーリ41ｃの回転により巻取りプーリ41ｃから吐き出され、取っ手49が取っ手連結部38に近づいたとき、図２５に示すように、駆動紐85はスライド係合部32の上面で弛んだ状態となる。
【００９９】
そして、取っ手49の付け根が取っ手連結部38の下端を前方に押したとき、係合レバー34が上方に回動してスライド部14の係止爪16との係合が外れ、頭部スライド部12は前方に移動して頭部10を前方に移動させて頭部突出部20の先端を跳ね上げることになる。
【０１００】
尚、係止爪は、図２３乃至図２５に示した一方の係止爪16のみでなく、動力源収納ケース33の両側に配置したスライド部の後端に各々設けることは、前記実施形態と同様である。
【０１０１】
そして、この実施形態では、取っ手49を引き出してゼンマイに力を蓄えた状態としたときに係止爪16と係合レバー34とを係合させるものであるから、図４等に示したレバー連結板36を省略し、係合レバー34と取っ手連結部38とを一体としているものである。
【０１０２】
また、図２３乃至図２５に示した実施形態では、頭部カバー11と頭部突出部20とを一体とし、頭部カバー11及び頭部突出部20が頭部支持ピン21ｂを中心に上下に揺動して頭部10が前進したときに頭部突出部20の先端を跳ね上げるものである。
【０１０３】
尤も、図４等に示した頭部カバー11に対して頭部突出部20がピン21を中心に回動して頭部突出部20の先端を跳ね上げる場合には、頭部カバー11の内側又は頭部スライド部12の先端中央近辺に頭部用プーリを設け、動力源40のケース等から頭部用プーリを介して巻取りプーリ41ｃに至る駆動紐85を設ければ足りるものである。
【０１０４】
また、駆動紐85は、動力源40のケース等に一端を固定し、動力源40のケース等から頭部10の内部までを往復するように配置しているも、駆動紐85の一端を直接に頭部10の内部に固定し、第一歯車41ａから第二歯車41ｂへの減速比を調整して頭部10の引き寄せ強さを調整することもある。
【０１０５】
以上のように本実施形態によれば、胴体内に動力源40を備え、リアルな生物の動きを再現させ、走行停止直前に頭部突出部20を作動させて互いにして争わせる遊びを可能とする走行玩具100を提供することができる。
【０１０６】
また、本実施形態によれば、頭部作動部25は、動力源作動紐の巻上げ動作の終了直前に、動力源作動紐に固定された取っ手49によって取っ手連結部38を押圧して頭部10及び頭部突出部20を作動させることから、歩行動作後に頭部10及び頭部突出部20を作動させる一連の動作が可能となる。
【０１０７】
そして、本実施形態によれば、動力源40がゼンマイユニットからなり、回転速度が途中で高速に切り替わることから、歩行動作が単調とならず、永きに亘って興味を継続させることができる。
【０１０８】
また、本実施形態によれば、歩行動作をリアルで自然な形態とさせることができ、飽きのこない玩具とすることができる。
【０１０９】
なお、動力源40の回転速度が一定速度であっても、走行体のキャラクターに合致した歩行動作とすれば、興味を継続させることができる。
【符号の説明】
【０１１０】
１０    頭部                          １１    頭部カバー
１２    頭部スライド部                １２ａ  ピン支持台
１３、１４  スライド部                １５、１６  係止爪
１７    バネ
２０    頭部突出部                    ２１    ピン
２１ｂ  頭部支持ピン
２２    頭部下面カバー                ２３    突起部
２５    頭部作動部
３０    胴体                          ３１    胴体カバー
３２    スライド係合部                ３２ａ  湾曲面
３２ｂ  歯車カバー
３３    動力源収納ケース
３４    係合レバー                    ３４ａ  突起
３５    ピン
３６    レバー連動板                  ３６ａ  レバー
３７    バネ
３８    取っ手連結部                  ３８ａ  本体部
３８ｂ  アーム部
４０    動力源                        ４１    一次回転軸
４１ａ  第一歯車                      ４１ｂ  第二歯車
４１ｃ  巻取りプーリ                  ４２    二次回転軸
４３    前脚部支持軸                  ４４    偏心回転体
４５    脚部作動連結板                ４５ａ  連結穴
４５ｂ  前方ポスト                    ４５ｃ  後方ポスト
４６    動力源作動紐                  ４７    紐巻部
４９    取っ手
５０    紐部カバー                    ６０    腹部
７０    脚部                          ７１    中脚
７２    紐巻収納部
７５    前脚部                        ７５ａ  突起
８０    後脚部                        ８０ａ  突起
８１    後脚部支持軸
８５    駆動紐
９０    本体                          １００  走行玩具
【図１】
2015006316.tif 000003
【図２】
2015006316.tif 000004
【図３】
2015006316.tif 000005
【図４】
2015006316.tif 000006
【図５】
2015006316.tif 000007
【図６】
2015006316.tif 000008
【図７】
2015006316.tif 000009
【図８】
2015006316.tif 000010
【図９】
2015006316.tif 000011
【図１０】
2015006316.tif 000012
【図１１】
2015006316.tif 000013
【図１２】
2015006316.tif 000014
【図１３】
2015006316.tif 000015
【図１４】
2015006316.tif 000016
【図１５】
2015006316.tif 000017
【図１６】
2015006316.tif 000018
【図１７】
2015006316.tif 000019
【図１８】
2015006316.tif 000020
【図１９】
2015006316.tif 000021
【図２０】
2015006316.tif 000022
【図２１】
2015006316.tif 000023
【図２２】
2015006316.tif 000024
【図２３】
2015006316.tif 000025
【図２４】
2015006316.tif 000026
【図２５】
2015006316.tif 000027